(57)【要約】【課題】玄関の框とそれに続く床板をリフォ−ムする際、施工手間が大変少なく、新しい框と床板との間で見苦しい段差や目隙が発生せず、しかも、釘打ち施工時に打ち損じや材割れや釘頭による表面の膨れ等のない、施工性と仕上がり精度外観に優れたリフォ−ム框とリフォ−ム方法を提供する。【解決手段】水平部とその前端部に設けた垂下片からなる断面形状略逆Ｌ字型の枠部材からなり、前記枠部材の水平部と上張り床との接合部に嵌合用凹部が形成され、前記枠部材と上張り床の接合部において、嵌合用凹部どうしの間に、前記枠部材と上張り床とを接続するための所定の厚さと幅を有する接続部材を設けるようにした。【選択図】        図２
2004285693.tif 000002
【特許請求の範囲】
【請求項１】
既存の上がり框及び床板上に被覆して取り付けるリフォ−ム框において、該リフォ−ム框は、水平部とその前端部に設けた垂下片からなる断面形状略逆Ｌ字型の枠部材からなり、前記枠部材の水平部と上張り床との接合部において、枠部材の水平部の後端縁木口面に上張り床に対応した嵌合用凹部が設けられており、前記枠部材と上張り床の接合部において、嵌合用凹部どうしの間に、前記枠部材と上張り床とを接続するための所定の厚さと幅を有する接続部材が設けられていることを特徴とするリフォ−ム框。
【請求項２】
前記接続部材が所定の厚さと幅と長さを有する平板状部材で、該接続部材に釘打ち用の小孔又は溝が設けられており、前記嵌合用凹部が、前記枠部材の水平部の後端縁木口面及び上張り床前端縁木口面に形成された所定の溝幅と溝深さと溝長さを有する条溝であることを特徴とする請求項１に記載のリフォ−ム框。
【請求項３】
既存の上がり框と床をリフォ−ムするにあたって、
１．既存の上がり框に枠部材を覆うようにして被せ、
２．前記枠部材の後端縁木口面に設けられた嵌合凹部に本発明の接続部材を嵌挿し、
３．前記接続部材の所定箇所に釘又はステ−プルを既存の上がり框に向けて打入して枠部材を取り付け固定し、該接続部材の略半分を枠部材から突出させ、
４．１枚目の上張り床の前端縁木口面に設けた嵌合凹部に、突出した前記接続部材が嵌挿されるように、枠部材後端縁木口面と上張り床前端縁木口面とを互いに当接させ、
５．続いて、１枚目の上張り床の後端縁木口面に設けた嵌合凸部に２枚目の上張り床前端縁の嵌合凹部を嵌合させ、３枚目以降の上張り床も同様にして順次嵌合させて接合することを特徴とする請求項１又は２に記載のリフォ−ム框と上張り床を用いた框のリフォ−ム方法。
【発明の詳細な説明】
【０００１】
【発明の属する技術分野】
本発明は住宅内部の玄関の上がり框と床に関する発明で、詳しくは古くなった上がり框と床をリフォ−ムする時に用いるリフォ−ム框と上張り床及び該リフォ−ム框と上張り床を用いた上がり框と床のリフォ−ム方法に関する。
【０００２】
【従来の技術】
従来、住宅等の建物の内部で、玄関の床板とその前端縁に設けられた上がり框を新しくリフォ−ムする際、古い上がり框と古い床板を全て除去し新しいものに施工し直すと、その施工手間は多大なものであった。そこで、古い既存の床板から上がり框にかけての上面全面に新しい床板を敷設し、床板木口面と上がり框の前面を覆うように被覆材を被着することがよく行われてきた。しかし、このような方法でリフォ−ムすると、床板と被覆材とによって既存の古い上がり框が覆われて隠されてしまうので、床板の前縁に厚みが薄い被覆材が表出し、このことによって既存の上がり框の厚みが失われ、重厚さと装飾性に劣るものとなっていた。
【０００３】
このことを解決するために、図３に示すように、古い既存の上がり框Ｋの上面及び前面を断面形状が略逆Ｌ字型に形成された上がり框被覆枠１１で覆うようにして被着し、古い床板Ｆの上に新しい上張り床１２を覆うようにして張り上げる玄関の上がり框と床部の修繕施工方法が開示されている。（例えば、特許文献１参照）。
【０００４】
【特許文献１】
特開平１１−１７２８９４号公報（第２−４頁、第１図、第２図）
【０００５】
【発明が解決しようとする課題】
しかしながら、古くなった上がり框を修繕し、新しいものにリフォ−ムするに際して、特開平１１−１７２８９４号公報に開示されているような、従来からある修繕方法では、図３に示すように、古くなった上がり框Ｋに被着した上がり框被覆枠１１と古くなった床板上に張り上げた新しい上張り床１２との間で、段差Ｄが生じたり、隙間Ｖが発生したり問題点が多々あった。段差Ｄが発生すると歩行感が悪くなるばかりでなく、歩行時に躓いて転倒する危険が生じる。また、新しい上張り床１２の位置が上がり框被覆枠１１の位置よりも高くなる方向に段差Ｄが発生すると、新しい上張り床１２の化粧されていない木口面が露出して外観上大変見苦しいものとなっていた。
【０００６】
仕上がりの外観と歩行性、安全性等を考慮すると、新しい上張り床１２の施工高さ位置が上がり框被覆枠１１よりも、ほんの少しだけ低い方が良く、通常、上がり框被覆枠１１に対して新しい上張り床１２を０．１〜０．３ｍｍ程度低い位置になるように施工すると良いが、前述したように、従来の上がり框被覆枠１１では、上張り床１２との接続部において、甚だしい場合は大きな段差Ｄや隙間Ｖが生じることが多々あった。
【０００７】
また、上がり框被覆枠１１を古い框Ｋ上に施工する際、古い框Ｋの前面及び上面は両面接着テ−プ等で貼り付け、被覆枠水平部木口から釘打ちで古い框Ｋに取り付け固定するが、釘打ち施工する際に釘打ちの打ち損じや材割れや釘頭による表面膨れ等が発生することが多々あった。
【０００８】
本発明の目的は、玄関の上がり框とそれに続く床板をリフォ−ムするに際して、施工手間が大変少なく、新しい上がり框と新しい上張り床との間で段差や隙間がほとんど発生せず、上張り床の化粧されていない木口面が露出することがなく、外観意匠的にも優れ、しかも施工時に釘打ちの打ち損じや材割れや釘頭による表面膨れ等の発生しないリフォ−ム框とリフォ−ム方法を提供することにある。
【０００９】
【課題を解決するための手段】
上記目的を達成するため、本発明の請求項１に記載のリフォ−ム框は、既存の上がり框及び床板上に被覆して取り付けるリフォ−ム框において、該リフォ−ム框は、水平部とその前端部に設けた垂下片からなる断面形状略逆Ｌ字型の枠部材からなり、前記枠部材の水平部と上張り床との接合部において、枠部材の水平部の後端縁木口面に上張り床に対応した嵌合用凹部が設けられており、前記枠部材と上張り床の接合部において、嵌合用凹部どうしの間に、前記枠部材と上張り床とを接続するための所定の厚さと幅を有する接続部材が設けられていることを特徴とする。
【００１０】
係る構成から、上がり框と床のリフォ−ムの際に、古くなった上がり框の上から本発明の枠部材を被せ、後端縁木口面に形成された上張り床に対応した嵌合凹部に本発明の接続部材を嵌挿して突出させ、古い床板の上に１枚目の上張り床を設置し、該上張り床の前端縁木口面に設けた嵌合用凹部に前記突出した接続部材が嵌挿されるようにして１枚目の上張り床の前端部を枠部材の後端部にしっかりと当接して施工するので、枠部材と上張り床との接合部において大きな段差や隙間が発生することがない。
【００１１】
また、枠部材の水平部の後端縁木口面に設けた嵌合凹部の条溝の形成高さ位置と１枚目の上張り床の前端縁木口面に設けた嵌合用凹部の条溝の形成高さ位置を適宜設定することで、上張り床を枠部材よりも若干でも低くして、枠部材と上張り床との段差を最適値（０．１〜０．３ｍｍ）にすることができる。すなわち、枠部材表面と条溝の溝幅の中心までの寸法に対して、１枚目の上張り床の表面と条溝の溝幅の中心までの寸法を最適値（０．１〜０．３ｍｍ）だけ小さくなるように調整すれば、枠部材よりも上張り床を最適値（０．１〜０．３ｍｍ）だけ低くなるように取り付けできるので、上張り床の化粧されていない木口面が露出して外観上見苦しくなるといったことが回避できる。このように、枠部材と上張り床を誤差ゼロで施工することは現実の問題として不可能に近く、若干でも上張り床の方が低くなるように施工することが仕上がり外観上最も望ましい。
【００１２】
上張り床に対応した嵌合用凹部とは、枠部材の水平部の後端縁木口面に形成された嵌合凹部形成位置が、上述した如く、枠部材よりも上張り床を最適値だけ低くなるようにして取り付けのできる嵌合凹部の形成位置であり、嵌合凹部の大きさや形状深さなどが、前記接続部材を嵌挿させて枠部材と上張り床を接続する際、支障なく十分な接続強度で接続可能な程度に相互に対応していることをいう。
【００１３】
また、本発明の請求項２に記載の発明は、請求項１に記載のリフォ−ム框において、前記接続部材が所定の厚さと幅と長さを有する平板状部材で、該接続部材に釘打ち用の小孔又は溝が設けられており、前記嵌合用凹部が、前記枠部材の水平部の後端縁木口面及び上張り床前端縁木口面に形成された所定の溝幅と溝深さと溝長さを有する条溝であることを特徴とする。
【００１４】
係る構成から、古い上がり框に本発明の枠部材を被せ、後端縁木口面に設けた嵌合用凹部の条溝に本発明の接続部材を嵌挿し、該接続部材に釘又はステ−プルを打入する際に、接続部材に釘打ち用の小孔又は溝が設けられていると、釘打ち位置が明確となり、打ち損じがなくなり、従って釘打ち作業性がよりいっそう向上する。
【００１５】
また、釘頭が原因で枠部材の水平部の後端縁が盛り上がり、表面の膨れが発生したり、釘打ち時の衝撃で接続部材が割れて破損したりするなどの問題の解消にとってよりいっそう好適である。
【００１６】
また、本発明の請求項３に記載の発明は、請求項１又は２に記載のリフォ−ム框を用いて、既存の古くなった上がり框と床をリフォ−ムするにあたって、
１．既存の上がり框に枠部材を覆うようにして被せ、
２．前記枠部材の後端縁木口面に設けられた嵌合凹部に本発明の接続部材を嵌挿し、
３．前記接続部材の所定箇所に釘又はステ−プルを既存の上がり框に向けて打入して枠部材を取り付け固定し、該接続部材の略半分を枠部材から突出させ、
４．１枚目の上張り床の前端縁木口面に設けた嵌合凹部に、突出した前記接続部材が嵌挿されるように、枠部材後端縁木口面と上張り床前端縁木口面とを互いに当接させ、
５．続いて、１枚目の上張り床の後端縁木口面に設けた嵌合凸部に２枚目の上張り床前端縁の嵌合凹部を嵌合させ、３枚目以降の上張り床も同様にして順次嵌合させて接合することを特徴とする。
【００１７】
係るリフォ−ム方法によって、古くなった上がり框とそれに続く床板を新しいものにリフォ−ムすると、施工手間がかからないばかりでなく、上がり框の枠部材と上張り床との接合部において段差や隙間がほとんど生じることがなく、極めて精度良く施工可能で、しかも、釘頭が原因で枠部材の水平部の後端縁が盛り上がり、表面の膨れが発生したり、釘打ち時の衝撃で接続部材が割れて破損するなどの問題が発生しないリフォ−ム方法が可能となる。さらに、この方法によれば、若干でも枠部材に対して上張り床を低く施工することも可能で、上張り床の化粧されていない木口面が露出しないので外観意匠的にも優れたものとなる。
【００１８】
【発明の実施の形態】
以下、本発明に係るリフォ−ム框の実施の形態の一例を図面により説明する。図１は本発明のリフォ−ム框の実施の形態の一例を示す斜視図、図２は本発明のリフォ−ム框の施工状態を示す側断面図である。
【００１９】
本例に示すリフォ−ム框は、所定の大きさの水平部１ａと垂下片１ｂとからなり、該水平部１ａと垂下片１ｂとはその端面において、互いに略直角に接合されており、断面形状が略逆Ｌ字型の枠部材１からなっている。
【００２０】
前記枠部材１の水平部１ａの後端縁木口面には嵌合凹部ｒが設けられている。本例においては、前記嵌合凹部ｒは条溝Ｊである。一方、前記枠部材１と接合する上張り床２の前端縁木口面に嵌合凹部ｒが形成されており、対向する後端縁木口面には嵌合凸部ｐが形成されている。さらに、前記枠部材の水平部後端縁木口面に形成された嵌合凹部ｒと前記上張り床２の前端縁木口面に形成された嵌合凹部ｒとは接続部材Ｂによって互いに嵌合係止される構造となっており、本例では、嵌合凹部が条溝となっている。嵌合凹部ｒの二つの溝は溝幅（溝の枠部材及び上張り床の厚み方向の幅）、溝深さにおいて、寸法、位置とも相互に対応した見合った形状、寸法構成となっている。
【００２１】
枠部材１と上張り床２を接続部材Ｂで接続した際、わずかに上張り床２の表面の方が枠部材１の表面よりも低い位置になるように構成されている。枠部材１と上張り床２を接続部材Ｂによって接続した際の段差は０．１〜０．３ｍｍ程度となるように構成されていると施工後の精度、仕上がり外観的にも最適な構成である。前記嵌合凹部ｒの二つの溝はその深さにおいて、略等しい方が接続後の嵌合係止力が十分に発揮できるので、その方が望ましい。しかし、嵌合係止力に差し支えない程度に若干異なっていてもよい。
【００２２】
また、前記嵌合凹部ｒの二つの溝の長さは接続部材Ｂの長さとの関係で接続部材Ｂを溝に嵌挿する際、支障がなければ若干異なっていてもよい。また、上張り床２の前端縁木口面に設けられる嵌合凹部は、通常の上張り床の場合、長手方向全長に設けられている。これに対して、前記枠部材の水平部１ａの後端縁木口面に設けられる嵌合凹部は、同様に長手方向の全長に設けられた条溝Ｊであってもよいし、また、短い条溝Ｊが複数個間隔をおいて設けられていてもよい。その溝長さ、間隔は枠部材１と１枚目の上張り床２とが接続部材Ｂによって確実に勘合係止される範囲内であればよい。接続部材の長さ、接続後に必要とされる強度等を勘案して適宜決定できる。
【００２３】
前記接続部材Ｂは枠部材１の前記条溝Ｊ及び上張り床２の前記嵌合凹部ｒに嵌挿して枠部材１と１枚目の上張り床２とを相互にしっかりと嵌合係止可能な形状寸法に構成されている。また、接続部材Ｂの長さは枠部材１の条溝Ｊ、上張り床２の嵌合凹部ｒの二つの溝の長さに見合った長さとなっている。枠部材１や上張り床２の長手方向全長に合わせてあるか又は短い接続部材を複数個用意するか条溝Ｊや嵌合凹部ｒの形態によって適宜決めればよい。
【００２４】
接続部材Ｂの幅寸法は枠部材１の条溝Ｊと上張り床２の嵌合凹部ｒの二つの溝の深さを合わせた寸法よりも若干でも狭いようにしておくことが大切である。逆に幅広くなると、枠部材１と上張り床２とを接続した際、両方の部材間で隙間が発生して施工後大変見苦しいものとなる。
【００２５】
接続部材Ｂの表面に施工時に釘打ちする箇所としての釘打ち部ｇが形成されている。該釘打ち部ｇは接続部材Ｂ表面に間隔をおいて形成された小孔でもよいし、間隔をおいて形成された短い溝であってもよいし、また、接続部材Ｂ表面の全長に亘って形成された溝であってもよい。前記小孔の場合は、貫通孔でもよいし、また、半貫通孔であってもよい。また、前記釘打ち部ｇとしての溝は接続部材Ｂの片面のみに設けてもよいし、また、両面に設けてもよい。
【００２６】
一方、上張り床２の後端縁木口面には嵌合凸部ｐが形成されている。嵌合凸部ｐは前記嵌合凹部ｒと相互に接続部材無しで嵌合係止できるような寸法及び形状に構成されている。
【００２７】
枠部材１の水平部材１ａと垂下片１ｂの構成は、基材表面とその表面に貼着された化粧材（図示せず）からなっている。基材としては、合板、パ−ティクルボ−ド、中比重繊維板、ＯＳＢ、ＬＶＬ、木材ムク板等の木質基材の他、例えば塩化ビニル樹脂等の合成樹脂に木質の粉末を所定量混入して成型加工した人工木材や、ウレタン樹脂発泡体等を断面逆Ｌ字型に押し出し成型又は鋳型成型加工した合成樹脂系基材や、アルミニウムを断面逆Ｌ字型に押し出し成型した金属製基材等が挙げられる。
【００２８】
木質基材の場合は水平部１ａと垂下片１ｂとは、共に平板状であるので、それぞれの端面どうしを相じゃくり加工、本実加工、留め加工等の接合手段でもって断面形状が略逆Ｌ字型になるように接合し枠部材１となる。
【００２９】
表面化粧材としては、銘木突板、銘木厚単板、突板シ−ト等の天然銘木を用いその上からウレタン樹脂、アミノアルキッド樹脂、アクリル樹脂塗料等で塗装仕上げした天然化粧材の他、杢目柄を印刷した塩ビシ−ト、薄葉紙などの印刷化粧シ−ト等が用いられる。
【００３０】
次に、実際の施工現場で住宅の玄関をリフォ−ムする際の施工手順について簡単に述べる。玄関のリフォ−ムに当たって、既存の上がり框と床をリフォ−ムする際、以下の作業手順がよい。
１．既存の上がり框に枠部材を覆うようにして被せ、
２．前記枠部材の後端縁木口面に設けられた嵌合凹部に本発明の接続部材を嵌挿し、
３．前記接続部材の所定箇所に釘又はステ−プルを既存の上がり框に向けて打入して枠部材を取り付け固定し、該接続部材の略半分を枠部材から突出させ、
４．１枚目の上張り床の前端縁木口面に設けた嵌合凹部に、突出した前記接続部材が嵌挿されるように、枠部材後端縁木口面と上張り床前端縁木口面とを互いに当接させ、
５．続いて、１枚目の上張り床の後端縁木口面に設けた嵌合凸部に２枚目の上張り床前端縁の嵌合凹部を嵌合させ、３枚目以降の上張り床も同様にして順次嵌合させて接合する。
【００３１】
このようにして、施工が完了するが、枠部材１と１枚目の上張り床２との接合部において、上張り床表面の方が若干でも低くなるように注意する。そのときの段差は０．１〜０．３ｍｍ程度が最も好ましい。
【００３２】
【発明の効果】
以上のように、本発明に係るリフォ−ム框とリフォ−ム方法によれば、既存の古い框や床板を剥がさないで、その上から覆うようにして新しい框としての枠部材と床を施工するので、施工手間が大幅に軽減でき大変経済的である。さらに、枠部材と上張り床との接合部において、大きな段差や隙間が発生することがなく、しかも上張り床表面を枠部材表面よりも若干でも低くなるように段差を最適値にすることが可能で、従って、上張り床の化粧されていない基材が露出して玄関先から見えることで見苦しくなるといったことが回避できる。
【００３３】
また、接続部材に釘打ち部が設けられているので、釘打ち位置が明確となり、打ち損じ防止、打ち損じによる材割れ等が防止可能であり、釘頭が原因で枠部材の水平部の後端部が見苦しく盛り上がる等の問題点が解消できる。
【図面の簡単な説明】
【図１】本発明のリフォ−ム框の実施形態の一例を示す斜視図。
【図２】本発明のリフォ−ム框の施工状態を示す側断面図。
【図３】従来のリフォ−ム框を示す側断面図。
【符号の説明】
１      枠部材
１ａ    水平部
１ｂ    垂下片
２      上張り床
Ｊ      条溝
ｒ      嵌合凹部
ｐ      嵌合凸部
Ｂ      接続部材
ｇ      釘打ち部
Ｄ      段差
Ｋ      古い框
Ｆ      古い床
Ｎ      小根太
ｎ      釘又はステ−プル
１１    従来の上がり框被覆枠
１２    従来の上張り床
Ｖ      隙間
【図１】
2004285693.tif 000003
【図２】
2004285693.tif 000004
【図３】
2004285693.tif 000005